(57)【要約】【課題】モータの組み立ての作業性を高め、かつ、中性線の絶縁距離を容易に確保する。【解決手段】モータは、ロータと、ロータを回転させる磁界を生成するステータと、ステータの端部に固定される筒状のインシュレータと、を備える。ステータは、複数のティースと、複数のティースの各々に巻回された巻回部、巻回部の一端側に設けられた中性線、巻回部の他端側に設けられた電源線を有する複数の巻き線と、複数の中性線が接続部材を介して電気的に接続された中性点と、を有する。インシュレータには、インシュレータの外側から内側に貫通する引込み用切り欠きが設けられる。複数の中性線は、インシュレータの外周面に沿って引き回されて引込み用切り欠きを通って、インシュレータの外側から内側へ引き込まれると共に、引き込まれた複数の中性線が固定される。【選択図】図１２Ｄ
2020141495.tif 000002
【特許請求の範囲】
【請求項１】
ロータと、前記ロータを回転させる磁界を生成するステータと、前記ステータの端部に固定される筒状のインシュレータと、を備え、
前記ステータは、
複数のティースと、
前記複数のティースの各々に巻回された巻回部と、前記巻回部の一端側に設けられた中性線と、前記巻回部の他端側に設けられた電源線と、を有する複数の巻き線と、
複数の前記中性線が接続部材を介して電気的に接続された中性点と、を有し、
前記インシュレータには、前記インシュレータの外側から内側に貫通する引込み用切り欠きが設けられ、
前記複数の中性線は、前記インシュレータの外周面に沿って引き回されて前記引込み用切り欠きを通って、前記インシュレータの前記外側から前記内側へ引き込まれると共に、引き込まれた前記複数の中性線が固定される、モータ。
【請求項２】
前記インシュレータには、複数の前記引込み用切り欠きが設けられ、
前記複数の引込み用切り欠きの各々を通って、前記インシュレータの前記外側から前記内側へ引き込まれた前記複数の中性線が互いに固定される、
請求項１に記載のモータ。
【請求項３】
前記複数の中性線は、前記内側で前記中性線同士が捩られることで、前記複数の中性線が互いに固定される、
請求項１または２に記載のモータ。
【請求項４】
前記インシュレータには、前記内側に引き込まれた前記複数の中性線を、前記インシュレータの前記内側から前記外側へ曲げて引き出すことで前記インシュレータに固定するための引出し用切り欠きが、前記内側から前記外側に貫通して設けられる、
請求項１に記載のモータ。
【請求項５】
前記複数の引込み用切り欠きは、前記インシュレータの周方向において互いに近接して配置される、
請求項２に記載のモータ。
【請求項６】
前記引出し用切り欠きは、前記インシュレータの周方向において前記引込み用切り欠きに近接して配置される、
請求項４に記載のモータ。
【請求項７】
前記モータは、３相モータであり、
前記複数の中性線は、３本の中性線ごとに前記接続部材を介して圧着により接合される、
請求項１ないし６のいずれか１項に記載のモータ。
【請求項８】
前記ステータには複数の中性点が設けられ、前記インシュレータの前記内側において、前記複数の中性点の各々で接続された複数組の中性線が一束に縒り合せられる、
請求項１ないし７のいずれか１項に記載のモータ。
【請求項９】
前記一束は、絶縁部材で覆われ、隣り合う前記巻回部の間の隙間に挿入される、
請求項８に記載のモータ。
【請求項１０】
前記複数の中性線は、前記３本の中性線ごとに前記複数の引込み用切り欠きの各々を通って前記インシュレータの前記内側で互いに固定され、前記３本の中性線ごとに前記中性点で接続された複数組の中性線を構成する、
請求項７に記載のモータ。
【請求項１１】
請求項１ないし１０のいずれか１項に記載のモータと、
前記ロータが回転軸を回転させることで冷媒を圧縮する圧縮部と、
を備える圧縮機。
【発明の詳細な説明】
【技術分野】
【０００１】
本発明は、モータ及び圧縮機に関する。
【背景技術】
【０００２】
例えば、圧縮機は、冷媒を圧縮する圧縮部を駆動するためのモータを備えている。モータは、圧縮機の容器の内部に配置されており、永久磁石が設けられたロータと、回転磁界を生成することによりロータを回転させるステータと、を備え、ロータに固定されたシャフトを介して圧縮部に回転動力を伝達する。ステータは、複数のティースを有しており、複数のティースの各々に、電線が巻き付けられることにより巻き線が形成される。巻き線において、各ティースに巻回された複数の巻回部の各々は、スター結線（星形結線）されており、各ティースに巻かれた巻回部の一端が電源に接続され、巻回部の他端（中性線と称する。）が中性点に接続されている。
【先行技術文献】
【特許文献】
【０００３】
【特許文献１】特開２０１０−１６６６４３号公報
【発明の概要】
【発明が解決しようとする課題】
【０００４】
例えば、９スロット型の３相モータの場合、各中性線を中性点で接続するために、９本の中性線を一束にまとめて半田付けによって接合されるものがある。半田付けを行う場合、電線の絶縁膜を剥離することが必要となり、モータの組み立ての作業性が低い。このため、半田付けによる接合に代えて、カシメ機を用いて接続端子を介して中性線を圧着により接合することが提案されている。
【０００５】
中性線を圧着によって接合する場合、４本以上の中性線を束ねた場合、各中性線を適正に接合することが困難になり、中性線を３本ずつに圧着することが望ましい。このため、９本の中性線を中性点で接続する場合には、３本の中性線を１組として、３組の中性線の束がそれぞれ生じることになる。したがって、モータの組み立て工程では、所定の３本の中性線ごとに組み合せで結線すると共に３組の中性線を取り扱うことになるので、９本の中性線の取り扱いが煩雑になり、組み立ての作業性を低下させ、モータの結線バラツキを招く問題がある。
【０００６】
この対策として、９本の中性線を取り扱う際に、ステータの端部に固定される筒状のインシュレータの外周面の周方向に沿って、３本の中性線ごとに引き回し、インシュレータの外側で３本の中性線同士を捩ることで、３本の中性線を１組として取り扱うことが考えられる。しかしながら、この場合、インシュレータの外側で３本の中性線同士が捩られた部分にこぶが生じる。こぶは、インシュレータの外周面から、インシュレータの径方向に膨らむので、モータが金属製の容器の内部に配置されたときに容器の内面にこぶが近づき、中性線の絶縁距離が小さくなるおそれがある。また、絶縁距離を確保するために中性線をインシュレータの内側へ引き込むときに、インシュレータの外側で捩られた中性線は、中性線の移動を規制する力が作用しているので、インシュレータの内側へ引き込むことが難しい不都合もある。
【０００７】
開示の技術は、上記に鑑みてなされたものであって、モータの組み立ての作業性を高め、かつ、中性線の絶縁距離を容易に確保できるモータ及び圧縮機を提供することを目的とする。
【課題を解決するための手段】
【０００８】
本願の開示するモータの一態様は、ロータと、ロータを回転させる磁界を生成するステータと、ステータの端部に固定される筒状のインシュレータと、を備え、ステータは、複数のティースと、複数のティースの各々に巻回された巻回部と、巻回部の一端側に設けられた中性線と、巻回部の他端側に設けられた電源線と、を有する複数の巻き線と、複数の中性線が接続部材を介して電気的に接続された中性点と、を有し、インシュレータには、インシュレータの外側から内側に貫通する引込み用切り欠きが設けられ、複数の中性線は、インシュレータの外周面に沿って引き回されて引込み用切り欠きを通って、インシュレータの外側から内側へ引き込まれると共に、引き込まれた複数の中性線が固定される。
【発明の効果】
【０００９】
本願の開示するモータの一態様によれば、モータの組み立ての作業性を高め、かつ、中性線の絶縁距離を容易に確保することができる。
【図面の簡単な説明】
【００１０】
【図１】図１は、実施例の３相モータを備える圧縮機を示す縦断面図である。
【図２】図２は、実施例の３相モータを上インシュレータ側から示す平面図である。
【図３】図３は、実施例におけるステータコアを示す下面図である。
【図４】図４は、実施例における下インシュレータを示す斜視図である。
【図５】図５は、実施例におけるステータを示す下面図である。
【図６】図６は、実施例における複数の巻き線を示す展開図である。
【図７】図７は、実施例における複数の巻き線の結線状態を示す結線図である。
【図８】図８は、実施例における第１スプライス端子と電線の接続前の状態を示す斜視図である。
【図９】図９は、実施例における上インシュレータの要部を示す側面図である。
【図１０】図１０は、実施例における上インシュレータの要部を示すＡ−Ａ断面図である。
【図１１】図１１は、実施例におけるステータの製造工程を説明するためのフローチャートである。
【図１２Ａ】図１２Ａは、実施例において、９本の中性線が引き出された状態を示す平面図である。
【図１２Ｂ】図１２Ｂは、実施例において、９本の中性線のうちの３本の中性線を上インシュレータの内側に引き込んで互いに固定した状態を示す平面図である。
【図１２Ｃ】図１２Ｃは、実施例において、残りの６本の中性線のうちの３本の中性線を上インシュレータの内側に引き込んで互いに固定した状態を示す平面図である。
【図１２Ｄ】図１２Ｄは、実施例において、残りの３本の中性線を上インシュレータの内側に引き込んで互いに固定した状態を示す平面図である。
【図１３Ａ】図１３Ａは、実施例において、３組の中性線の長さを揃えた状態を示す側面図である。
【図１３Ｂ】図１３Ｂは、実施例において、３組の中性線の各々を圧着により接合した状態を示す側面図である。
【図１３Ｃ】図１３Ｃは、実施例において、３組の中性線を一束にまとめた状態を示す側面図である。
【図１３Ｄ】図１３Ｄは、実施例において、一束にまとめられた中性線が絶縁チューブで覆われた状態を示す側面図である。
【図１４】図１４は、他の実施例において、９本の中性線を、３本の中性線ごとに引込み用スリット及び引出し用スリットを通して仮止めした状態を示す斜視図である。
【図１５Ａ】図１５Ａは、他の実施例において、９本の中性線のうちの３本の中性線を仮止めした状態を示す平面図である。
【図１５Ｂ】図１５Ｂは、他の実施例において、残りの６本の中性線のうちの３本の中性線を仮止めした状態を示す平面図である。
【図１５Ｃ】図１５Ｃは、他の実施例において、残りの３本の中性線を仮止めした状態を示す平面図である。
【図１５Ｄ】図１５Ｄは、他の実施例において、３組の中性線の各々を圧着により接合した状態を示す平面図である。
【図１５Ｅ】図１５Ｅは、他の実施例において、３組の中性線を、上インシュレータの内側へ引き込んだ状態を示す平面図である。
【図１６】図１６は、他の実施例において、３組の中性線の各々を圧着により接合した状態を説明するための側面図である。
【発明を実施するための形態】
【００１１】
以下に、本願の開示するモータの実施例を図面に基づいて詳細に説明する。なお、以下の実施例によって、本願の開示するモータが限定されるものではない。
【実施例】
【００１２】
図１は、実施例の３相モータを備える圧縮機を示す縦断面図である。図１に示すように、圧縮機１は、いわゆるロータリ圧縮機であり、容器２と、シャフト３と、圧縮部５と、３相モータ６と、を備えている。容器２は、金属材料によって形成されており、密閉された内部空間７を形成している。内部空間７は、概ね円柱状に形成されている。容器２は、水平面上に縦置きされたときに、内部空間７をなす円柱の中心軸が鉛直方向に平行になるように形成されている。容器２には、内部空間７の下部に油溜め８が形成されている。油溜め８には、圧縮部５を潤滑させる潤滑油である冷凍機油が貯留される。容器２には、冷媒を吸入するための吸入管１１と、圧縮された冷媒を吐出する吐出管１２と、が接続されている。回転軸としてのシャフト３は、棒状に形成されており、一端が油溜め８に配置されるように、容器２の内部空間７に配置されている。シャフト３は、内部空間７をなす円柱の中心軸を中心に回転可能に容器２に支持されている。シャフト３は、回転することにより、油溜め８に貯留された冷凍機油を圧縮部５に供給する。
【００１３】
圧縮部５は、内部空間７の下部に配置され、油溜め８の上方に配置されている。圧縮機１は、さらに、上マフラーカバー１４と、下マフラーカバー１５と、を備えている。上マフラーカバー１４は、内部空間７のうちの圧縮部５の上部に配置されている。上マフラーカバー１４は、内部に上マフラー室１６を形成している。下マフラーカバー１５は、内部空間７における圧縮部５の下部に設けられており、油溜め８の上部に配置されている。下マフラーカバー１５は、内部に下マフラー室１７を形成している。下マフラー室１７は、圧縮部５に形成されている連通路（図示せず）を介して上マフラー室１６に連通している。上マフラーカバー１４とシャフト３との間には、圧縮冷媒吐出孔１８が形成され、上マフラー室１６は、圧縮冷媒吐出孔１８を介して内部空間７に連通している。
【００１４】
圧縮部５は、シャフト３が回転することにより吸入管１１から供給される冷媒を圧縮し、その圧縮された冷媒を上マフラー室１６と下マフラー室１７とに供給する。その冷媒は、冷凍機油と相溶性を有している。３相モータ６は、内部空間７のうちの圧縮部５の上部に配置されている。
【００１５】
図２は、実施例における３相モータ６を上インシュレータ側から示す平面図である。図１及び図２に示すように、３相モータ６は、ロータ２１と、ステータ２２と、を備えている。ロータ２１は、珪素鋼の薄板（磁性体）を複数積層して円柱状に形成されており、複数のリベット９により一体化されている。ロータ２１の中心には、シャフト３が挿通され固定されているロータ２１には、６個のスリット状の磁石埋め込み孔１０ａが、シャフト３を中心として６角形の各辺をなすように形成されている。各磁石埋め込み孔１０ａは、ロータ２１の周方向に所定間隔をあけて形成されている。磁石埋め込み孔１０ａには、板状の永久磁石１０ｂが埋め込まれている。
【００１６】
ステータ２２は、概ね円筒形に形成されており、ロータ２１を囲むように配置されて、容器２に固定されている。ステータ２２は、ステータコア２３と、上インシュレータ２４及び下インシュレータ２５と、複数の巻き線４６と、を備えている。上インシュレータ２４は、ステータコア２３の上端部に固定されている。下インシュレータ２５は、ステータコア２３の下端部に固定されている。上インシュレータ２４及び下インシュレータ２５は、ステータコア２３と巻き線４６とを絶縁する絶縁部の一例である。
【００１７】
図３は、実施例におけるステータコア２３を示す下面図である。ステータコア２３は、例えば、ケイ素鋼板に例示される軟磁性体で形成された複数の板が積層されて形成され、図３に示すように、ヨーク部３１と複数のステータコアティース部３２−１〜３２−９とを備えている。ヨーク部３１は、概ね円筒形に形成されている。複数のステータコアティース部３２−１〜３２−９のうちの第１ステータコアティース部３２−１は、概ね柱体状に形成されている。第１ステータコアティース部３２−１は、一端がヨーク部３１の内周面に連続して形成され、すなわち、ヨーク部３１の内周面から突出するように形成されている。複数のステータコアティース部３２−１〜３２−９のうちの第１ステータコアティース部３２−１と異なるステータコアティース部も、第１ステータコアティース部３２−１と同様に、概ね柱体状に形成されており、ヨーク部３１の内周面から突出している。複数のステータコアティース部３２−１〜３２−９は、さらに、ヨーク部３１の内周面に４０度ごとの等間隔に配置されて形成されている。
【００１８】
図４は、実施例における下インシュレータ２５を示す斜視図である。下インシュレータ２５は、ポリブチレンテレフタレート樹脂（ＰＢＴ）に例示される絶縁体によって円筒状に形成されており、図４に示すように、外周壁部４１と、複数のインシュレータティース部４２−１〜４２−９と、複数の鍔部４３−１〜４３−９と、を有している。外周壁部４１は、概ね円筒形に形成されている。外周壁部４１には、複数のスリット４４が形成されている。複数のインシュレータティース部４２−１〜４２−９のうちの第１インシュレータティース部４２−１は、断面が概ね半円である直柱体状に形成されている。第１インシュレータティース部４２−１は、一端が外周壁部４１の内周面に連続して形成され、すなわち、外周壁部４１の内周面から突出するように形成されている。複数のインシュレータティース部４２−１〜４２−９のうちの第１インシュレータティース部４２−１と異なるインシュレータティース部も、直柱体状に形成され、第１インシュレータティース部４２−１と同様に、外周壁部４１の内周面から突出するように形成されている。複数のインシュレータティース部４２−１〜４２−９は、外周壁部４１の内周面に４０度ごとの等間隔に配置されて形成されている。
【００１９】
複数の鍔部４３−１〜４３−９は、複数のインシュレータティース部４２−１〜４２−９に対応し、それぞれ、概ね半円形の板状に形成されている。複数の鍔部４３−１〜４３−９のうちの第１インシュレータティース部４２−１に対応する第１鍔部４３−１は、第１インシュレータティース部４２−１の他端に連続して形成されている。複数の鍔部４３−１〜４３−９のうちの第１鍔部４３−１と異なる鍔部も、第１鍔部４３−１と同様に、複数のインシュレータティース部４２−１〜４２−９の他端に連続して形成されている。
【００２０】
上インシュレータ２４も、下インシュレータ２５と同様に形成されている。すなわち、上インシュレータ２４は、絶縁体によって円筒状に形成されており、外周壁部４１と、複数のインシュレータティース部４２−１〜４２−９と、複数の鍔部４３−１〜４３−９と、を有している。
【００２１】
図５は、実施例におけるステータ２２を示す下面図である。ステータコア２３の複数のステータコアティース部３２−１〜３２−９は、図５に示すように、複数の巻き線４６がそれぞれ巻回されている。各ステータコアティース部３２−１〜３２−９には、各巻き線４６によって巻回部４５がそれぞれ形成されている。実施形態における３相モータは、６極９スロットの集中巻型のモータである（図２参照）。複数の巻き線４６は、複数のＵ相巻き線４６−Ｕ１〜４６−Ｕ３と、複数のＶ相巻き線４６−Ｖ１〜４６−Ｖ３と、複数のＷ相巻き線４６−Ｗ１〜４６−Ｗ３と、を備えている。
【００２２】
Ｕ相巻き線は複数の巻き線を備えている。具体的には、Ｕ相巻き線として、第１Ｕ相巻き線４６−Ｕ１と、第２Ｕ相巻き線４６−Ｕ２と、第３Ｕ相巻き線４６−Ｕ３と、を備えている。第１Ｕ相巻き線４６−Ｕ１は、第４ステータコアティース部３２−４に巻回されている。第２Ｕ相巻き線４６−Ｕ２は、第７ステータコアティース部３２−７に巻回されている。第３Ｕ相巻き線４６−Ｕ３は、第１ステータコアティース部３２−１に巻回されている。
【００２３】
Ｖ相巻き線は複数の巻き線を備えている。具体的には、Ｖ相巻き線として、第１Ｖ相巻き線４６−Ｖ１と、第２Ｖ相巻き線４６−Ｖ２と、第３Ｖ相巻き線４６−Ｖ３と、を備えている。第１Ｖ相巻き線４６−Ｖ１は、第８ステータコアティース部３２−８に巻回されている。第２Ｖ相巻き線４６−Ｖ２は、第２ステータコアティース部３２−２に巻回されている。第３Ｖ相巻き線４６−Ｖ３は、第５ステータコアティース部３２−５に巻回されている。
【００２４】
Ｗ相巻き線は複数の巻き線を備えている。具体的には、Ｗ相巻き線として、第１Ｗ相巻き線４６−Ｗ１と、第２Ｗ相巻き線４６−Ｗ２と、第３Ｗ相巻き線４６−Ｗ３と、を備えている。第１Ｗ相巻き線４６−Ｗ１は、第６ステータコアティース部３２−６に巻回されている。第２Ｗ相巻き線４６−Ｗ２は、第９ステータコアティース部３２−９に巻回されている。第３Ｗ相巻き線４６−Ｗ３は、第３ステータコアティース部３２−３に巻回されている。
【００２５】
第１ステータコアティース部３２−１は、下インシュレータ２５の第１インシュレータティース部４２−１と、上インシュレータ２４の第１インシュレータティース部４２−１と、これら各インシュレータ２４、２５との間に配置される絶縁フィルム（図示せず）と共に第３Ｕ相巻き線４６−Ｕ３が巻回されている。このため、第３Ｕ相巻き線４６−Ｕ３は、上インシュレータ２４と下インシュレータ２５とにより、第１ステータコアティース部３２−１から適切に絶縁され、ステータコア２３から適切に絶縁されている。さらに、第３Ｕ相巻き線４６−Ｕ３は、下インシュレータ２５の第１鍔部４３−１と外周壁部４１との間に挟まれるように巻回されており、上インシュレータ２４の第１鍔部４３−１と外周壁部４１との間に挟まれるように巻回されている。このため、第３Ｕ相巻き線４６−Ｕ３は、上インシュレータ２４及び下インシュレータ２５により、第１ステータコアティース部３２−１からロータ２１の側に外れる、いわゆる巻きこぼれが防止されている。
【００２６】
複数の巻き線４６のうちの第３Ｕ相巻き線４６−Ｕ３と異なる他の巻き線に関しても、上インシュレータ２４及び下インシュレータ２５により、ステータコア２３から適切に絶縁され、巻きこぼれが防止されている。
【００２７】
図６は、実施例における複数の巻き線４６を示す展開図である。第１Ｕ相巻き線４６−Ｕ１は、図６に示すように、第４ステータコアティース部３２−４に反時計回りに巻回されている。第２Ｕ相巻き線４６−Ｕ２は、第７ステータコアティース部３２−７に時計回りに巻回されている。第３Ｕ相巻き線４６−Ｕ３は、第１ステータコアティース部３２−１に反時計回りに巻回されている。第１Ｖ相巻き線４６−Ｖ１は、第８ステータコアティース部３２−８に反時計回りに巻回されている。第２Ｖ相巻き線４６−Ｖ２は、第２ステータコアティース部３２−２に時計回りに巻回されている。第３Ｖ相巻き線４６−Ｖ３は、第５ステータコアティース部３２−５に反時計回りに巻回されている。第１Ｗ相巻き線４６−Ｗ１は、第６ステータコアティース部３２−６に反時計回りに巻回されている。第２Ｗ相巻き線４６−Ｗ２は、第９ステータコアティース部３２−９に時計回りに巻回されている。第３Ｗ相巻き線４６−Ｗ３は、第３ステータコアティース部３２−３に反時計回りに巻回されている。
【００２８】
ステータ２２は、複数のＵ相中性線４７−Ｕ１〜４７−Ｕ３と、複数のＶ相中性線４７−Ｖ１〜４７−Ｖ３と、複数のＷ相中性線４７−Ｗ１〜４７−Ｗ３と、をさらに備えている。複数のＵ相中性線４７−Ｕ１〜４７−Ｕ３、複数のＶ相中性線４７−Ｖ１〜４７−Ｖ３及び複数のＷ相中性線４７−Ｗ１〜４７−Ｗ３は、複数のステータコアティース部３２−１〜３２−９よりも下インシュレータ２５から遠い上インシュレータ２４側に配置されている。なお、上インシュレータ２４側には、電源線であるリード側も配置されるので、以下、本明細書では上インシュレータ２４側をリード側とも呼ぶ。
【００２９】
第１Ｕ相中性線４７−Ｕ１は、一端が第１Ｕ相巻き線４６−Ｕ１に電気的に接続されている。第１Ｕ相中性線４７−Ｕ１は、その一端が第４ステータコアティース部３２−４の第１方向側（図６中の左側）に配置されており、他端が第４ステータコアティース部３２−４よりも下インシュレータ２５から遠いリード側に配置されている。第２Ｕ相中性線４７−Ｕ２は、一端が第２Ｕ相巻き線４６−Ｕ２に電気的に接続されている。第２Ｕ相中性線４７−Ｕ２は、その一端が第７ステータコアティース部３２−７の第１方向側に配置されており、他端が第７ステータコアティース部３２−７よりもリード側に配置されている。第３Ｕ相中性線４７−Ｕ３は、一端が第３Ｕ相巻き線４６−Ｕ３に電気的に接続されている。第３Ｕ相中性線４７−Ｕ３は、その一端が第１ステータコアティース部３２−１の第１方向側に配置されており、他端が第１ステータコアティース部３２−１よりもリード側に配置されている。
【００３０】
複数のＶ相中性線４７−Ｖ１〜４７−Ｖ３は、第１Ｖ相中性線４７−Ｖ１と、第２Ｖ相中性線４７−Ｖ２と、第３Ｖ相中性線４７−Ｖ３と、を備えている。第１Ｖ相中性線４７−Ｖ１は、一端が第１Ｖ相巻き線４６−Ｖ１に電気的に接続されている。第１Ｖ相中性線４７−Ｖ１は、その一端が第５ステータコアティース部３２−５の第１方向側に配置されており、他端が第５ステータコアティース部３２−５よりもリード側に配置されている。第２Ｖ相中性線４７−Ｖ２は、一端が第２Ｖ相巻き線４６−Ｖ２に電気的に接続されている。第２Ｖ相中性線４７−Ｖ２は、その一端が第２ステータコアティース部３２−２の第１方向側に配置されており、他端が第２ステータコアティース部３２−２よりもリード側に配置されている。第３Ｖ相中性線４７−Ｖ３は、一端が第３Ｖ相巻き線４６−Ｖ３に電気的に接続されている。第３Ｖ相中性線４７−Ｖ３は、その一端が第５ステータコアティース部３２−５の第１方向側に配置されており、他端が第５ステータコアティース部３２−５よりもリード側に配置されている。
【００３１】
複数のＷ相中性線４７−Ｗ１〜４７−Ｗ３は、第１Ｗ相中性線４７−Ｗ１と、第２Ｗ相中性線４７−Ｗ２と、第３Ｗ相中性線４７−Ｗ３と、を備えている。第１Ｗ相中性線４７−Ｗ１は、一端が第１Ｗ相巻き線４６−Ｗ１に電気的に接続されている。第１Ｗ相中性線４７−Ｗ１は、その一端が第６ステータコアティース部３２−６の第１方向側に配置されており、他端が第６ステータコアティース部３２−６よりもリード側に配置されている。第２Ｗ相中性線４７−Ｗ２は、一端が第２Ｗ相巻き線４６−Ｗ２に電気的に接続されている。第２Ｗ相中性線４７−Ｗ２は、その一端が第９ステータコアティース部３２−９の第１方向側に配置されており、他端が第９ステータコアティース部３２−９よりもリード側に配置されている。第３Ｗ相中性線４７−Ｗ３は、一端が第３Ｗ相巻き線４６−Ｗ３に電気的に接続されている。第３Ｗ相中性線４７−Ｗ３は、その一端が第３ステータコアティース部３２−３の第１方向側に配置されており、他端が第３ステータコアティース部３２−３よりもリード側に配置されている。
【００３２】
ステータ２２は、複数のＵ相電源線４８−Ｕ１〜４８−Ｕ３と、複数のＶ相電源線４８−Ｖ１〜４８−Ｖ３と、複数のＷ相電源線４８−Ｗ１〜４８−Ｗ３と、をさらに備えている。
【００３３】
複数のＵ相電源線４８−Ｕ１〜４８−Ｕ３は、一端が第１ステータコアティース部３２−１のリード側に配置され、かつ、その一端が第１ステータコアティース部３２−１の第２方向側（図６中の右側）に配置されている。第１Ｕ相電源線４８−Ｕ１の他端は、第１Ｕ相巻き線４６−Ｕ１に電気的に接続されている。第２Ｕ相電源線４８−Ｕ２の他端は、第２Ｕ相巻き線４６−Ｕ２に電気的に接続されている。第３Ｕ相電源線４８−Ｕ３の他端は、第３Ｕ相巻き線４６−Ｕ３に電気的に接続されている。
【００３４】
第１Ｕ相電源線４８−Ｕ１は、さらに、一部が下インシュレータ２５の外周壁部４１の複数のスリット４４を通り、第１Ｕ相渡り線部分４９−Ｕ１を含んでいる。第１Ｕ相電源線４８−Ｕ１の一部である第１Ｕ相渡り線部分４９−Ｕ１は、下インシュレータ２５の外周壁部４１の外周面に沿うように配置されている。第２Ｕ相電源線４８−Ｕ２は、さらに、一部が下インシュレータ２５の外周壁部４１の複数のスリット４４を通り、第２Ｕ相渡り線部分４９−Ｕ２を含んでいる。第２Ｕ相電源線４８−Ｕ２の一部である第２Ｕ相渡り線部分４９−Ｕ２は、下インシュレータ２５の外周壁部４１の外周面に沿って配置されている。
【００３５】
複数のＶ相電源線４８−Ｖ１〜４８−Ｖ３は、一端が第５ステータコアティース部３２−５のリード側に配置され、かつ、その一端が第５ステータコアティース部３２−５の第２方向側に配置されている。第１Ｖ相電源線４８−Ｖ１の他端は、第１Ｖ相巻き線４６−Ｖ１に電気的に接続されている。第２Ｖ相電源線４８−Ｖ２の他端は、第２Ｖ相巻き線４６−Ｖ２に電気的に接続されている。第３Ｖ相電源線４８−Ｖ３の他端は、第３Ｖ相巻き線４６−Ｖ３に電気的に接続されている。
【００３６】
第１Ｖ相電源線４８−Ｖ１は、さらに、一部が下インシュレータ２５の外周壁部４１の複数のスリット４４を通り、第１Ｖ相渡り線部分４９−Ｖ１を含んでいる。第１Ｖ相電源線４８−Ｖ１の一部である第１Ｖ相渡り線部分４９−Ｖ１は、下インシュレータ２５の外周壁部４１の外周面に沿って配置されている。第２Ｖ相電源線４８−Ｖ２は、さらに、一部が下インシュレータ２５の外周壁部４１の複数のスリット４４を通り、第２Ｖ相渡り線部分４９−Ｖ２を含んでいる。第２Ｖ相電源線４８−Ｖ２の一部である第２Ｖ相渡り線部分４９−Ｖ２は、下インシュレータ２５の外周壁部４１の外周面に沿って配置されている。
【００３７】
複数のＷ相電源線４８−Ｗ１〜４８−Ｗ３は、一端が第３ステータコアティース部３２−３のリード側に配置され、かつ、その一端が第３ステータコアティース部３２−３の第２方向側に配置されている。第１Ｗ相電源線４８−Ｗ１の他端は、第１Ｗ相巻き線４６−Ｗ１に電気的に接続されている。第２Ｗ相電源線４８−Ｗ２の他端は、第２Ｗ相巻き線４６−Ｗ２に電気的に接続されている。第３Ｗ相電源線４８−Ｗ３の他端は、第３Ｗ相巻き線４６−Ｗ３に電気的に接続されている。
【００３８】
第１Ｗ相電源線４８−Ｗ１は、さらに、一部が下インシュレータ２５の外周壁部４１の複数のスリット４４を通り、第１Ｗ相渡り線部分４９−Ｗ１を含んでいる。第１Ｗ相電源線４８−Ｗ１の一部である第１Ｗ相渡り線部分４９−Ｗ１は、下インシュレータ２５の外周壁部４１の外周面に沿って配置されている。第２Ｗ相電源線４８−Ｗ２は、さらに、一部が下インシュレータ２５の外周壁部４１の複数のスリット４４を通り、第２Ｗ相渡り線部分４９−Ｗ２を含んでいる。第２Ｗ相電源線４８−Ｗ２の一部である第２Ｗ相渡り線部分４９−Ｗ２は、下インシュレータ２５の外周壁部４１の外周面に沿って配置されている。
【００３９】
図７は、実施例における複数の巻き線４６の結線状態を示す結線図である。実施形態における３相モータは、巻き線４６が並列接続されたスター結線を有するモータである。ステータ２２は、図７に示すように、複数の中性点をさらに備えている。複数の中性点は、複数のステータコアティース部３２−１〜３２−９のリード側に配置されており、第１中性点５１−１、第２中性点５１−２及び第３中性点５１−３を有している。第１中性点５１−１と第２中性点５１−２と第３中性点５１−３とは、互いに電気的に絶縁されている。
【００４０】
第１Ｕ相巻き線４６−Ｕ１は、一端が第１Ｕ相中性線４７−Ｕ１を介して第１中性点５１−１に電気的に接続されており、他端が第１Ｕ相電源線４８−Ｕ１を介してＵ相電源に電気的に接続されている。第２Ｕ相巻き線４６−Ｕ２は、一端が第２Ｕ相中性線４７−Ｕ２を介して第２中性点５１−２に電気的に接続されており、他端が第２Ｕ相電源線４８−Ｕ２を介してＵ相電源に電気的に接続されている。第３Ｕ相巻き線４６−Ｕ３は、一端が第３Ｕ相中性線４７−Ｕ３を介して第３中性点５１−３に電気的に接続されており、他端が第３Ｕ相電源線４８−Ｕ３を介してＵ相電源に電気的に接続されている。
【００４１】
第１Ｖ相巻き線４６−Ｖ１は、一端が第１Ｖ相中性線４７−Ｖ１を介して第３中性点５１−３に電気的に接続されており、他端が第１Ｖ相電源線４８−Ｖ１を介してＶ相電源に電気的に接続されている。第２Ｖ相巻き線４６−Ｖ２は、一端が第２Ｖ相中性線４７−Ｖ２を介して第１中性点５１−１に電気的に接続されており、他端が第２Ｖ相電源線４８−Ｖ２を介してＶ相電源に電気的に接続されている。第３Ｖ相巻き線４６−Ｖ３は、一端が第３Ｖ相中性線４７−Ｖ３を介して第２中性点５１−２に電気的に接続されており、他端が第３Ｖ相電源線４８−Ｖ３を介してＶ相電源に電気的に接続されている。
【００４２】
第１Ｗ相巻き線４６−Ｗ１は、一端が第１Ｗ相中性線４７−Ｗ１を介して第２中性点５１−２に電気的に接続されており、他端が第１Ｗ相電源線４８−Ｗ１を介してＷ相電源に電気的に接続されている。第２Ｗ相巻き線４６−Ｗ２は、一端が第２Ｗ相中性線４７−Ｗ２を介して第３中性点５１−３に電気的に接続されており、他端が第２Ｗ相電源線４８−Ｗ２を介してＷ相電源に電気的に接続されている。第３Ｗ相巻き線４６−Ｗ３は、一端が第３Ｗ相中性線４７−Ｗ３を介して第１中性点５１−１に電気的に接続されており、他端が第３Ｗ相電源線４８−Ｗ３を介してＷ相電源に電気的に接続されている。
【００４３】
［ステータの製造方法］
ステータ２２は、巻線機を用いて、上インシュレータ２４及び下インシュレータ２５が適切に取り付けられたステータコア２３に、Ｕ相電線、Ｖ相電線及びＷ相電線が適切に配置されることにより、製作される。電線は、例えば、エナメル線（銅線をエナメルの被膜で被覆した電線）である。巻線機は、例えば、Ｕ相電線用ノズルと、Ｖ相電線用ノズルと、Ｗ相電線用ノズルと、を備えている。Ｕ相電線用ノズル、Ｖ相電線用ノズル及びＷ相電線用ノズルは、互いに固定されている。Ｕ相電線用ノズルは、適切に移動することにより、Ｕ相電線をステータコア２３に対して所定の位置に配置させることができる。Ｖ相電線用ノズルは、適切に移動することにより、Ｖ相電線をステータコア２３に対して所定の位置に配置させることができる。Ｗ相電線用ノズルは、適切に移動することにより、Ｗ相電線をステータコア２３に対して所定の位置に配置させることができる。なお、巻線機は、本実施例の構成に限られず、１本のノズルのみを備えるものが用いられてもよい。
【００４４】
巻線機には、まず、上インシュレータ２４及び下インシュレータ２５と、図示しない絶縁フィルムが適切に取り付けられたステータコア２３がセットされる。巻線機は、Ｕ相電線用ノズルを適切に移動させることで、Ｕ相電線の一端を第１ステータコアティース部３２−１のリード側に配置させ、Ｕ相電線を第１ステータコアティース部３２−１の第２方向側に沿わせ、複数のスリット４４の１つに通す。次いで、巻線機は、Ｕ相電線用ノズルを適切に移動させてＵ相電線を下インシュレータ２５の外周壁部４１の外周面に沿わせることにより、Ｕ相電線から第１Ｕ相渡り線部分４９−Ｕ１を形成する。巻線機は、さらに、Ｕ相電線用ノズルを適切に移動させてＵ相電線を複数のスリット４４の１つから第４ステータコアティース部３２−４までの間に配置することにより、Ｕ相電線から第１Ｕ相電源線４８−Ｕ１を形成する。このとき、巻線機は、Ｖ相電線用ノズルとＷ相電線用ノズルとをＵ相電線用ノズルと同期して移動させることにより、Ｖ相電線から第１Ｖ相電源線４８−Ｖ１を形成し、Ｗ相電線から第１Ｗ相電源線４８−Ｗ１を形成する。
【００４５】
次いで、巻線機は、Ｕ相電線用ノズルを適切に移動させてＵ相電線を第４ステータコアティース部３２−４に反時計回りに巻回することにより、Ｕ相電線から第１Ｕ相巻き線４６−Ｕ１を形成する。このとき、巻線機は、Ｖ相電線用ノズルをＵ相電線用ノズルと同期して移動させることにより、Ｖ相電線を第８ステータコアティース部３２−８に反時計回りに巻回し、Ｖ相電線から第１Ｖ相巻き線４６−Ｖ１を形成する。巻線機は、Ｗ相電線用ノズルをＵ相電線用ノズルと同期して移動させることにより、Ｗ相電線を第６ステータコアティース部３２−６に反時計回りに巻回し、Ｗ相電線から第１Ｗ相巻き線４６−Ｗ１を形成する。
【００４６】
次いで、巻線機は、Ｕ相電線用ノズルを適切に移動させてＵ相電線を第４ステータコアティース部３２−４の第１方向側から第４ステータコアティース部３２−４のリード側までの間に配置することにより、Ｕ相電線から第１Ｕ相中性線４７−Ｕ１を形成する。このとき、巻線機は、Ｖ相電線用ノズルとＷ相電線用ノズルとをＵ相電線用ノズルと同期して移動させることにより、Ｖ相電線から第１Ｖ相中性線４７−Ｖ１を形成し、Ｗ相電線から第１Ｗ相中性線４７−Ｗ１を形成する。
【００４７】
次いで、巻線機は、Ｕ相電線用ノズルを適切に移動させてＵ相電線を第７ステータコアティース部３２−７のリード側から第７ステータコアティース部３２−７の第１方向側までの間に配置することにより、Ｕ相電線から第２Ｕ相中性線４７−Ｕ２を形成する。このとき、巻線機は、Ｖ相電線用ノズルとＷ相電線用ノズルとをＵ相電線用ノズルと同期して移動させることにより、Ｖ相電線から第２Ｖ相中性線４７−Ｖ２を形成し、Ｗ相電線から第２Ｗ相中性線４７−Ｗ２を形成する。
【００４８】
次いで、巻線機は、Ｕ相電線用ノズルを適切に移動させてＵ相電線を第７ステータコアティース部３２−７に時計回りに巻回することにより、Ｕ相電線から第２Ｕ相巻き線４６−Ｕ２を形成する。このとき、巻線機は、Ｖ相電線用ノズルをＵ相電線用ノズルと同期して移動させることにより、Ｖ相電線を第２ステータコアティース部３２−２に時計回りに巻回し、Ｖ相電線から第２Ｖ相巻き線４６−Ｖ２を形成する。巻線機は、Ｗ相電線用ノズルをＵ相電線用ノズルと同期して移動させることにより、Ｗ相電線を第９ステータコアティース部３２−９に時計回りに巻回し、Ｗ相電線から第２Ｗ相巻き線４６−Ｗ２を形成する。
【００４９】
次いで、巻線機は、Ｕ相電線用ノズルを適切に移動させてＵ相電線を複数のスリット４４の１つに通して外周壁部４１の外周面に沿わせることにより、Ｕ相電線から第２Ｕ相渡り線部分４９−Ｕ２を形成する。巻線機は、さらに、Ｕ相電線用ノズルを適切に移動させてＵ相電線を複数のスリット４４の１つを通して第１ステータコアティース部３２−１のリード側に配置することにより、Ｕ相電線から第２Ｕ相電源線４８−Ｕ２を形成する。このとき、巻線機は、Ｖ相電線用ノズルとＷ相電線用ノズルとをＵ相電線用ノズルと同期して移動させることにより、Ｖ相電線から第２Ｖ相電源線４８−Ｖ２を形成し、Ｗ相電線から第２Ｗ相電源線４８−Ｗ２を形成する。
【００５０】
次いで、巻線機は、Ｕ相電線用ノズルを適切に移動させてＵ相電線を第１ステータコアティース部３２−１のリード側から第１ステータコアティース部３２−１の第２方向側までの間に配置することにより、Ｕ相電線から第３Ｕ相電源線４８−Ｕ３を形成する。このとき、巻線機は、Ｖ相電線用ノズルとＷ相電線用ノズルとをＵ相電線用ノズルと同期して移動させることにより、Ｖ相電線から第３Ｖ相電源線４８−Ｖ３を形成し、Ｗ相電線から第３Ｗ相電源線４８−Ｗ３を形成する。また、複数のＵ相電源線４８−Ｕ１〜４８−Ｕ３が一束にまとめられた一端に第１接続端子５０−１が接続され、複数のＶ相電源線４８−Ｖ１〜４８−Ｖ３が一束にまとめられた一端に第２接続端子５０−２が接続され、複数のＷ相電源線４８−Ｗ１〜４８−Ｗ３が一束にまとめられた一端に第３接続端子５０−３が接続される（図２参照）。
【００５１】
次いで、巻線機は、Ｕ相電線用ノズルを適切に移動させてＵ相電線を第１ステータコアティース部３２−１に反時計回りに巻回することにより、Ｕ相電線から第３Ｕ相巻き線４６−Ｕ３を形成する。このとき、巻線機は、Ｖ相電線用ノズルをＵ相電線用ノズルと同期して移動させることにより、Ｖ相電線を第５ステータコアティース部３２−５に反時計回りに巻回し、Ｖ相電線から第３Ｖ相巻き線４６−Ｖ３を形成する。巻線機は、Ｗ相電線用ノズルをＵ相電線用ノズルと同期して移動させることにより、Ｗ相電線を第３ステータコアティース部３２−３に反時計回りに巻回し、Ｗ相電線から第３Ｗ相巻き線４６−Ｗ３を形成する。
【００５２】
次いで、巻線機は、Ｕ相電線用ノズルを適切に移動させてＵ相電線を第１ステータコアティース部３２−１の第１方向側から第１ステータコアティース部３２−１のリード側までの間に配置することにより、Ｕ相電線から第３Ｕ相中性線４７−Ｕ３を形成する。このとき、巻線機は、Ｖ相電線用ノズルとＷ相電線用ノズルとをＵ相電線用ノズルと同期して移動させることにより、Ｖ相電線から第３Ｖ相中性線４７−Ｖ３を形成し、Ｗ相電線から第３Ｗ相中性線４７−Ｗ３を形成する。
【００５３】
上述のように巻回することにより、第３Ｕ相巻き線４６−Ｕ３は、図６及び図７に示すように、巻き始め部分と巻き終わり部分が共にリード側に配置される。一方、第１Ｕ相巻き線４６−Ｕ１と第２Ｕ相巻き線４６−Ｕ２は、反リード側から巻き始められてリード側で巻き終わるようになる。したがって、第３Ｕ相巻き線４６−Ｕ３が巻回される巻き数は、第１Ｕ相巻き線４６−Ｕ１が巻回される巻き数と異なり、第２Ｕ相巻き線４６−Ｕ２が巻回される巻き数と異なっている。また、第１Ｕ相巻き線４６−Ｕ１と第２Ｕ相巻き線４６−Ｕ２は、Ｕ相電源と接続されるＵ相電源線が引き回される長さが異なる。言い換えれば、第１Ｕ相巻き線４６−Ｕ１〜第３Ｕ相巻き線４６−Ｕ３は、巻き線の巻き数や電源線の長さを含めた巻き方が異なる。このため、中性点５１−１からＵ相電源線までの電線の長さは、第１Ｕ相巻き線４６−Ｕ１、第２Ｕ相巻き線４６−Ｕ２、第３Ｕ相巻き線４６−Ｕ３のそれぞれにおいて異なり、インピーダンスも異なっている。
【００５４】
第１Ｕ相中性線４７−Ｕ１と第２Ｕ相中性線４７−Ｕ２とが切り離され、第１Ｖ相中性線４７−Ｖ１と第２Ｖ相中性線４７−Ｖ２とが切り離され、第１Ｗ相中性線４７−Ｗ１と第２Ｗ相中性線４７−Ｗ２とが切り離される。第１Ｕ相中性線４７−Ｕ１の端と第２Ｖ相中性線４７−Ｖ２の端と第３Ｗ相中性線４７−Ｗ３の端とが、電線の被膜を剥離せずに複数の巻き線を電気的に接続できる接続具（以下、接続具という）により電気的に接続される。
【００５５】
接続部材としては、例えば、図８に示すような第１スプライス端子５２−１が用いられている。図８は、実施例における第１スプライス端子５２−１と電線の接続前の状態を示す斜視図である。本実施例では、第１Ｕ相中性線４７−Ｕ１の端と第２Ｖ相中性線４７−Ｖ２の端と第３Ｗ相中性線４７−Ｗ３の端とが第１スプライス端子５２−１を介して互いに圧着により接合されて互いに電気的に接続されることで、第１中性点５１−１が形成される。図８に示すように、３本の電線（中性線）は互いに接する状態で安定して束ねられる。接続部材としての第１スプライス端子５２−１は、束ねられた電線を包むようにして３本の電線を互いに圧着により接合して互いに電気的に接続することができる。第１スプライス端子５２−１によって電線群が圧着されることで、第１スプライス端子５２−１の凹凸部によって各電線の被覆膜が剥離されて、３本の電線が接合されている。なお、接続部材で束ねる電線の本数は３本には限られない。すなわち、電線を互いに圧着により接合されて互いに電気的に接続することができる限り、束ねる本数は限定されない。
【００５６】
同様に、第２Ｕ相中性線４７−Ｕ２の端と第３Ｖ相中性線４７−Ｖ３の端と第１Ｗ相中性線４７−Ｗ１の端とが第２スプライス端子５２−２を介して互いに圧着により接合されて互いに電気的に接続されることで、第２中性点５１−２が形成される。第３Ｕ相中性線４７−Ｕ３の端と第１Ｖ相中性線４７−Ｖ１の端と第２Ｗ相中性線４７−Ｗ２の端とが第３スプライス端子５２−３により互いに圧着により接合されて互いに電気的に接続されることで、第３中性点５１−３が形成される。これにより、第１中性点５１−１、第２中性点５１−２及び第３中性点５１−３を容易に形成することができる。
【００５７】
［圧縮機の動作］
圧縮機１は、図示しない冷凍サイクル装置の構成要素として設けられており、冷媒を圧縮して、冷凍サイクル装置の冷媒回路に冷媒を循環させるために使用される。３相モータ６は、複数のＵ相電源線４８−Ｕ１〜４８−Ｕ３、複数のＶ相電源線４８−Ｖ１〜４８−Ｖ３及び複数のＷ相電源線４８−Ｗ１〜４８−Ｗ３に三相電圧がそれぞれ印加されることにより、回転磁界を発生させる。ロータ２１は、ステータ２２により生成された回転磁界によって回転する。３相モータ６は、ロータ２１が回転することにより、シャフト３を回転させる。
【００５８】
圧縮部５は、シャフト３が回転することで、吸入管１１を介して低圧冷媒ガスを吸入し、その吸入された低圧冷媒ガスを圧縮することにより高圧冷媒ガスを生成し、高圧冷媒ガスを上マフラー室１６と下マフラー室１７とに供給する。下マフラーカバー１５は、下マフラー室１７に供給された高圧冷媒ガスの圧力の脈動を低減し、圧力脈動が低減された高圧冷媒ガスを上マフラー室１６に供給する。上マフラーカバー１４は、上マフラー室１６に供給された高圧冷媒ガスの圧力の脈動を低減し、圧力脈動が低減された高圧冷媒ガスを内部空間７のうちの圧縮部５と３相モータ６との間の空間に圧縮冷媒吐出孔１８を介して供給する。
【００５９】
内部空間７のうちの圧縮部５と３相モータ６との間の空間に供給された高圧冷媒ガスは、３相モータ６に形成されている隙間を通過することにより、内部空間７のうちの３相モータ６より上の空間に供給される。内部空間７のうちの３相モータ６より上の空間に供給された冷媒は、吐出管１２を介して、冷凍サイクル装置のうちの圧縮機１の下流側に配置された装置に吐出される。
【００６０】
［圧縮機の特徴的な構成］
次に、実施例における３相モータ６の特徴的な構成について説明する。上述したように、３本のＵ相中性線４７−Ｕ１〜４７−Ｕ３、３本のＶ相中性線４７−Ｖ１〜４７−Ｖ３、及び３本のＷ相中性線４７−Ｗ１〜４７−Ｗ３（以下、中性線４７とも称する。）は、各中性点５１−１〜５１−３（以下、中性点５１とも称する。）でそれぞれ結線されている。本実施例の特徴としては、上インシュレータ２４の外側から内側に引き込まれた９本の中性線４７の取付け構造が含まれる。
【００６１】
図９は、実施例における上インシュレータ２４の要部を示す側面図である。図１０は、実施例における上インシュレータ２４の要部を示すＡ−Ａ断面図であり、図１０に示すＡ−Ａ線に沿う断面図である。図９及び図１０に示すように、複数のインシュレータティース部４２−１〜４２−９（４２）及び複数の鍔部４３−１〜４３−９（４３）が形成された上インシュレータ２４の外周壁部４１には、複数のスリット４４が、外周壁部４１の上端からシャフト３の軸方向に沿って切り欠かれて形成されている。
【００６２】
複数のスリット４４には、３組の中性線４７の各々が、上インシュレータ２４の外側から内側へ引き込まれる引込み用切り欠きとしての第１引込み用スリット４４Ａ1、第２引込み用スリット４４Ａ２、第３引込み用スリット４４Ａ３が含まれる。第１引込み用スリット４４Ａ1、第２引込み用スリット４４Ａ２、第３引込み用スリット４４Ａ３は、上インシュレータ２４の外周壁部４１の外側から内側に貫通して設けられており、外周壁部４１の周方向において互いに近接して配置されている。
【００６３】
９本の中性線４７は、３本の中性線４７ごとに一組の中性線４７として外周壁部４１の外周面に沿って引き回されて、第１引込み用スリット４４Ａ1、第２引込み用スリット４４Ａ２、第３引込み用スリット４４Ａ３の各々を通って、外周壁部４１の外側から内側へ引き込まれると共に、引き込まれた３本の中性線４７が、外周壁部４１の内側のみで、互いに固定されている。上インシュレータ２４の外周壁部４１の外側から内側に引き込まれた３本の中性線４７は、外周壁部４１の内側で中性線４７同士が捩られることで、３本の中性線４７が互いに固定されて一束にまとめられている。
【００６４】
このように９本の中性線４７が３組の中性線４７として個々に固定されることで、中性線４７の取り扱いが容易になり、３相モータ６の組み立ての作業性が高められ、組立作業の効率が高められる。さらに、３組の中性線４７が上インシュレータ２４の外周壁部４１の内側のみで捩られて固定されることにより、外周壁部４１の外側に、３本の中性線４７を互いに固定するために捩られた部分が生じないので、外周壁部４１の外周面に沿って引き回された中性線４７と、容器２との間の距離が適正に確保されて、中性線４７の絶縁距離を容易に確保できる。また、３組の中性線４７は、上インシュレータ２４の外側で互いに捩られずに各引込み用スリット４４Ａを通されることで、中性線４７の移動が規制されていない状態で上インシュレータ２４の外側から内側へスムーズに引き込むことが可能になるので、中性線４７の取り扱いを容易に行える。
【００６５】
また、複数のスリット４４には、外周壁部４１の内側で３本の中性線４７ごとに互いに固定された３組の中性線４７のうち、少なくとも一組の中性線４７を、上インシュレータ２４の外周壁部４１の内側から外側へ引き出すための引出し用切り欠きとしての引出し用スリット４４Ｂが含まれる。引出し用スリット４４Ｂは、本実施例では使用されないが、後述する他の実施例におけるステータ２２の製造工程で使用される。
【００６６】
引出し用スリット４４Ｂは、外周壁部４１の内側から外側に貫通して設けられている。引出し用スリット４４Ｂは、外周壁部４１の周方向において第１引込み用スリット４４Ａ１、第２引込み用スリット４４Ａ２、第３引込み用スリット４４Ａ３に近接して配置されている。引出し用スリット４４Ｂは、外周壁部４１の周方向において、例えば、第２引込み用スリット４４Ａ２と、第３引込み用スリット４４Ａ３との間に配置されている。また、外周壁部４１の周方向に対する引出し用スリット４４Ｂの幅は、第１引込み用スリット４４Ａ１、第２引込み用スリット４４Ａ２、第３引込み用スリット４４Ａ３の各幅よりも大きく形成されており、３組の中性線４７を通すことが可能な幅が確保されている。
【００６７】
また、下インシュレータ２５も、上インシュレータ２４と同様に、第１引込み用スリット４４Ａ1、第２引込み用スリット４４Ａ２、第３引込み用スリット４４Ａ３、及び引出し用スリットが、それぞれ設けられており、上インシュレータ２４と形状が共通化されていてもよい。
【００６８】
上述したように本実施例における９本の中性線４７は、３つの中性点５１の各々で接続された３組の中性線４７が、上インシュレータ２４の外周壁部４１の内側のみで互いに捩られて個々にまとめられている。さらに、３組の中性線４７は、上インシュレータ２４の外周壁部４１の内側で、互いに縒り合わされることによって一束にまとめられている。そして、３組の中性線４７が一束にまとめられた中性線４７の各中性点５１側は、絶縁部材としての絶縁チューブ５８で覆われており、ステータ２２の周方向（ロータ２１の回転方向）に隣り合う巻回部４５の隙間Ｇに挿入されている（図２参照）。
【００６９】
［ステータの製造工程の要部］
３相モータ６のステータ２２の製造工程の要部について説明する。図１１は、実施例におけるステータ２２の製造工程を説明するためのフローチャートである。図１１に示すように、上述のようにステータ２２の巻き線加工を行うことによって（ステップＳ１）、各巻き線４６を形成し、各電線用ノズル側から供給された各電線を切断することによって（ステップＳ２）、各巻き線４６の一端（中性線４７）を各電線用ノズル側から切り離す。
【００７０】
続いて、各巻き線４６の各中性線４７のうち、Ｕ相、Ｖ相、Ｗ相の中性線４７を各１本ずつで１組として、３本の中性線４７ごとに、上インシュレータ２４の外周壁部４１の外周面に沿って引き回し、外周壁部４１の第１引込み用スリット４４Ａ１、第２引込み用スリット４４Ａ２、第３引込み用スリット４４Ａ３（以下、引込み用スリット４４Ａとも称する。）の各々を通して、外周壁部４１の内側で３本の中性線４７を互いに固定する（本実施例では、外周壁部４１の内側で、３本の中性線４７が一本に束ねられたとき、引込み用スリット４４Ａから外周壁部４１の内側に延びる各中性線４７の部分同士が捩られた状態となることで、３本の中性線４７が互いに固定される（ステップＳ３）。ステップＳ３では、９つの巻回部４５からそれぞれ延ばされた９本の中性線４７に関して、３本の中性線４７を１組として個別の引込み用スリット４４Ａから外周壁部４１の内側に引き込まれ、３組の中性線４７の各々が、個別に捩られて固定されている。３組の中性線４７が個別にそれぞれ捩られる工程の詳細については後述する。
【００７１】
次に、各引込み用スリット４４Ａから、上インシュレータ２４の外周壁部４１の内側に延ばされた３組の中性線４７を所定の長さで切断することによって（ステップＳ４）、３組の中性線４７の長さを揃える。続いて、３組の中性線４７の各々を、各スプライス端子５２（５２−１〜５２−３）を介して圧着により接合することによって（ステップＳ５）、３つの各中性点５１を形成する。続いて、３組の中性線４７を束ねて、３組の中性線４７をまとめて固定する（本実施例では３組の中性線４７が一本に束ねられた状態で縒り合せる）ことによって（ステップＳ６）、３組の中性線４７が一束にまとめられる。中性点５１の形成工程の詳細については後述する。
【００７２】
次に、一束にまとめられた中性線４７を、絶縁チューブ５８内へ挿入することによって（ステップＳ７）、各巻回部４５から引き延ばされた中性線４７全体の絶縁性が確保される。最後に、絶縁チューブ５８で覆われた中性線４７の各スプライス端子５２（各中性点５１）側を、隣り合う巻回部４５の隙間Ｇへ収納する（ステップＳ８）。
【００７３】
［中性線の引込み工程］
図１２Ａは、実施例において、９本の中性線４７が引き出された状態を示す平面図である。図１２Ｂは、実施例において、９本の中性線４７のうちの３本の中性線４７を上インシュレータ２４の内側に引き込んで互いに固定した状態を示す平面図である。図１２Ｃは、実施例において、残りの６本の中性線４７のうちの３本の中性線４７を上インシュレータ２４の内側に引き込んで互いに固定した状態を示す平面図である。図１２Ｄは、実施例において、残りの３本の中性線４７を上インシュレータ２４の内側に引き込んで互いに固定した状態を示す平面図である。図１２Ａ〜図１２Ｄは、上インシュレータ２４側から見たステータ２２の上面図であり、９つのスロットである各巻回部４５に、反時計回りの順に１〜９の番号を付けている。なお、図１２Ｂ〜図１２Ｄでは、図９及び図１０に示す第１引込み用スリット４４Ａ１、第２引込み用スリット４４Ａ２、第３引込み用スリット４４Ａ３の各位置を簡略化して示している。
【００７４】
図１２Ａに示すように、３本のＵ相中性線４７−Ｕ１〜４７−Ｕ３、３本のＶ相中性線４７−Ｖ１〜４７−Ｖ３、及び３本のＷ相中性線４７−Ｗ１〜４７−Ｗ３である９本の中性線４７が、ステータ２２の各巻回部４５からそれぞれ引き出される。まず、図１２Ａ及び図１２Ｂに示すように、９本の中性線４７のうち、図中の２番、３番、４番の各巻回部４５から引き出されたＶ相中性線４７−Ｖ２、Ｗ相中性線４７−Ｗ３及びＵ相中性線４７−Ｕ１を上インシュレータ２４の外周面に沿って引き回して、例えば、７番の巻回部４５の近傍に位置する第１引込み用スリット４４Ａ１を通って、外周壁部４１の外側から内側へ引き込まれると共に、内側のみで３本の中性線４７が互いに捩られて固定される。このとき、外周壁部４１の周方向において、３本の中性線４７のうち、Ｖ相中性線４７−Ｖ２が時計回りに引き回され、Ｗ相中性線４７−Ｗ３及びＵ相中性線４７−Ｕ１が反時計回りに引き回されて、３本の中性線４７が第１引込み用スリット４４Ａ１から外周壁部４１の内側に引き込まれる。
【００７５】
すなわち、上インシュレータ２４の周方向における一方側へ向かって引き回された中性線４７と、上インシュレータ２４の周方向における他方側へ向かって引き回された中性線４７とは、第１引込み用スリット４４Ａ１を通った後に互いに捩られて固定されている。３本の中性線４７を捩る量は、３本の中性線４７が一束にまとまる程度とすることで固定作業を簡単に行える。また、３本の中性線４７は、上述のように第１引込み用スリット４４Ａ１に通されることで、第１引込み用スリット４４Ａ１内に係止されて、上インシュレータ２４の外周壁部４１の周方向における一方側と他方側へそれぞれ延びる中性線４７同士が、外周壁部４１の周方向に対して互いに引っ張り合うように形成されるので、巻回部４５から第１引込み用スリット４４Ａ１まで延ばされた中性線４７にテンションがかかり、上インシュレータ２４に対して安定して固定される。
【００７６】
なお、３本の中性線４７のうち、時計回りに引き回される中性線４７と、反時計回りに引き回される中性線４７は、上述した中性線４７の経路の組み合せに限定されるものではなく、例えば、上インシュレータ２４の周方向において引込み用スリット４４Ａが形成される位置に応じて適宜変更されてもよい。また、３本の中性線４７の全てが外周壁部４１の周方向における一方回りに引き回されてもよい。
【００７７】
続いて、第１引込み用スリット４４Ａ１を通って外周壁部４１の内側のみで互いに固定された３本の中性線４７と同様に、図１２Ｂ及び図１２Ｃに示すように、残る６本の中性線４７のうち、図中の５番、６番、７番の各巻回部４５から引き出されたＶ相中性線４７−Ｖ３、Ｗ相中性線４７−Ｗ１及びＵ相中性線４７−Ｕ２を上インシュレータ２４の外周面に沿って引き回されて、７番の巻回部４５の近傍に位置する第２引込み用スリット４４Ａ２を通って、外周壁部４１の外側から内側へ引き込まれると共に、内側のみで３本の中性線４７が互いに捩られて固定される。このとき、３本の中性線４７のうち、Ｖ相中性線４７−Ｖ３が時計回りに引き回され、Ｗ相中性線４７−Ｗ１及びＵ相中性線４７−Ｕ２が反時計回りに引き回されて、３本の中性線４７が第２引込み用スリット４４Ａ２から外周壁部４１の内側に引き込まれる。
【００７８】
続いて、第２引込み用スリット４４Ａ２を通って外周壁部４１の内側のみで互いに固定された３本の中性線４７と同様に、図１２Ｃ及び図１２Ｄに示すように、残る３本の中性線４７のうち、図中の８番、９番、１番の各巻回部４５から引き出されたＶ相中性線４７−Ｖ１、Ｗ相中性線４７−Ｗ２及びＵ相中性線４７−Ｕ３を上インシュレータ２４の外周面に沿って引き回されて、７番の巻回部４５の近傍に位置する第３引込み用スリット４４Ａ３を通って、外周壁部４１の外側から内側へ引き込まれると共に、内側のみで３本の中性線４７が互いに捩られて固定される。このとき、３本の中性線４７のうち、Ｖ相中性線４７−Ｖ１及びＷ相中性線４７−Ｗ２が時計回りに引き回され、Ｕ相中性線４７−Ｕ３が反時計回りに引き回されて、３本の中性線４７が第３引込み用スリット４４Ａ３から外周壁部４１の内側に引き込まれる。
【００７９】
図１２Ｄに示すように、９本の中性線４７は、３本の中性線４７を１組として、３組の中性線４７が、第１引込み用スリット４４Ａ１、第２引込み用スリット４４Ａ２及び第３引込み用スリット４４Ａ３の各々から、上インシュレータ２４の外周壁部４１の外側から内側に引き込まれる。３つの第１引込み用スリット４４Ａ１、第２引込み用スリット４４Ａ２及び第３引込み用スリット４４Ａ３は、ステータ２２の周方向において互いに近接して配置されており、後述する３組の中性線４７の縒り合せ作業を容易に行うことができる。
【００８０】
ステータ２２は、引込み用スリット４４Ａを介して９本の中性線４７が上インシュレータ２４の内側で固定されるので、例えば、組み立て作業時に、上インシュレータ２４の外周面に沿って引き回された中性線４７の移動を抑えることできる。加えて、ステータ２２は、中性点５１で結線される３組の中性線４７ごとに、各引込み用スリット４４Ａを通って互いに捩られて固定されるので、３本の中性線４７を１組として中性点５１で結線する作業を容易に行うことが可能になる。
【００８１】
［中性点の形成工程］
図１３Ａは、実施例において、３組の中性線４７の長さを揃えた状態を示す側面図である。図１３Ｂは、実施例において、３組の中性線４７の各々を圧着により接合した状態を示す側面図である。図１３Ａに示すように、３つの各引込み用スリット４４Ａから外周壁部４１の内側に引き込まれた３組の中性線４７は、一端を切断することによって、外周壁部４１から延びる長さが揃えられる。３組の中性線４７が各引込み用スリット４４Ａを通って互いに捩られているので、各中性線４７の長さを容易に揃えることができる。続いて、図１３Ｂに示すように、３組の中性線４７ごとに、スプライス端子５２を介して圧着により接合する。各引込み用スリット４４Ａを通して３本の中性線４７が一組にまとめられているので、スプライス端子５２を介してＵ相、Ｖ相、Ｗ相の各中性線４７を接合する際に、互いに結線する相を誤って接合することを防ぎ、組み立ての作業性が高められる。
【００８２】
図１３Ｃは、実施例において、３組の中性線４７を一束にまとめた状態を示す側面図である。図１３Ｄは、実施例において、一束にまとめられた中性線４７が絶縁チューブ５８で覆われた状態を示す側面図である。図１３Ｃに示すように、３組の中性線４７を縒り合せることによって、一束にまとめられる。このように３組の中性線４７が一束にまとめられることで、上インシュレータ２４の外周壁部４１に沿って引き回された中性線４７に作用するテンションが更に高められ、圧縮機１の運転時のステータ２２の振動による中性線４７の移動が抑えられる。
【００８３】
なお、本実施例では、３組の中性線４７を一束にまとめて、各引込み用スリット４４Ａからスプライス端子５２（中性点５１）までの間にわたって縒り合せられるが、この構造に限定されるものではなく、３組の中性線４７の一部のみが縒り合わされてもよい。
【００８４】
続いて、図１３Ｄに示すように、一束にまとめられた３組の中性線４７及びスプライス端子５２が絶縁チューブ５８によって覆われることにより、各引込み用スリット４４Ａから中性点５１までの間にわたって絶縁される。このように３組の中性線４７が一束にまとめられることにより、３組の中性線４７を個別に絶縁することなく、１つの絶縁チューブ５８で一括して絶縁することが可能になり、製造コストの増加が抑えられる。絶縁チューブ５８で覆われた３組の中性線４７の中性点５１側は、図２に示すように、隣り合う巻回部４５の間の隙間Ｇに挿入されて保持される。
【００８５】
また、３組の中性線４７の中性点５１側は、巻回部４５の間の隙間Ｇに対して、ステータ２２の径方向における外周側に挿入されて配置されており、ロータ２１との干渉が抑えられている。また、３組の中性線４７の中性点５１側は、ステータ２２の中心軸方向、すなわち圧縮機１における上下方向に沿って挿入されている。絶縁チューブ５８の中性点５１側は、扁平な帯状に形成されており、扁平状の絶縁チューブ５８が、ステータ２２の中心軸方向に沿って挿入されることにより、隙間Ｇを通る冷媒や冷凍機油の流動抵抗となることが抑えられている。これにより、隙間Ｇを通過する冷凍機油の流速が高くなることが抑えられるので、圧縮機１の外部へ冷凍機油が排出される量を抑えることが可能になる。
【００８６】
［実施例の効果］
上述のように実施例の３相モータ６の巻き線４６において、複数の中性線４７が、上インシュレータ２４の外周壁部４１の外周面に沿って引き回されて引込み用スリット４４Ａを通って、上インシュレータ２４の外側から内側へ引き込まれると共に、内側のみで複数の中性線４７が互いに固定されている。例えば、９本の中性線４７を半田付けで接合する場合と比べて、中性点５１で結線される３本の中性線４７を一組として引込み用スリット４４Ａを通って上インシュレータ２４の内側で互いに固定されることにより、９本の中性線４７を容易に取り扱い、所定の組み合せで結線される３本の中性線４７の組み合せの間違いを防ぐことが可能になる。このため、３相モータ６の組み立ての作業性を高め、組立作業の効率を高めることができる。
【００８７】
さらに、３本の中性線４７が上インシュレータ２４の外周壁部４１の内側のみで捩られて互いに固定されることにより、外周壁部４１の外側に、３本の中性線４７を互いに固定するために捩られた部分が生じないので、外周壁部４１の外周面に沿って引き回された中性線４７と、容器２との間の距離が適正に確保されて、中性線４７の絶縁距離を容易に確保できる。また、３本の中性線４７は、上インシュレータ２４の外側で互いに捩られずに各引込み用スリット４４Ａを通されることで、中性線４７の移動が規制されていない状態で上インシュレータ２４の外側から内側へスムーズに引き込むことが可能になるので、中性線４７の取り扱いを容易に行うことができる。
【００８８】
また、３相モータ６の巻き線４６において、３組の中性線４７が個別に、第１引込み用スリット４４Ａ１、第２引込み用スリット４４Ａ２、第３引込み用スリット４４Ａ３を通って上インシュレータの外側から内側に引き込まれることで、３組の中性線４７が通された各引込み用スリット４４Ａを目視することによっても、３組の中性線４７を容易に識別することが可能になる。なお、本実施例では、３つの第１引込み用スリット４４Ａ１、第２引込み用スリット４４Ａ２、第３引込み用スリット４４Ａ３が用いられたが、３組の中性線４７が、１つの共通する引込み用スリット４４Ａを通って上インシュレータ２４の外側から内側に引き込まれてもよい。
【００８９】
また、３相モータ６の巻き線４６において、３本の中性線４７は、上インシュレータ２４の内側で中性線４７同士が捩られることで、３本の中性線が互いに固定されている。これにより、３本の中性線４７を、ステータ２２に取り付けられた上インシュレータ２４に容易に仮固定することができる。
【００９０】
また、実施例の３相モータ６において、上インシュレータ２４の３つの引込み用スリット４４Ａは、上インシュレータ２４の外周壁部４１の周方向において互いに近接して配置されている。これにより、３つの引込み用スリット４４Ａからそれぞれ引き込まれた３組の中性線４７を縒り合せ易くなるので、３組の中性線４７を一束にまとめるのを容易に行うことができる。また、各引込み用スリット４４Ａから中性点５１までの複数組の中性線４７の長さを容易に揃えて切断することが可能になる。
【００９１】
また、実施例の３相モータ６では、上インシュレータ２４の外周壁部４１の内側において、３つの中性点５１の各々で接続された３組の中性線４７が一束に縒り合せられている。これにより、３組の中性線４７を一束にまとめて容易に固定することが可能になる。
【００９２】
また、実施例の３相モータ６における３組の中性線４７は、絶縁チューブ５８で覆われ、隣り合う巻回部４５の間の隙間Ｇに挿入されている。これにより、３相モータ６の使用時に３組の中性線４７が移動することが抑えられ、ステータ２２の隙間Ｇによって３組の中性線４７を安定して保持することができる。また、３組の中性線４７が絶縁チューブ５８で覆われることにより、３組の中性線４７を個別に絶縁する構造と比べて、３組の中性線４７を一括して絶縁することが可能になり、３相モータ６の製造コストの増加を抑えることができる。
【００９３】
また、実施例の３相モータ６における３組の中性線４７は、ステータ２２の径方向における隙間Ｇの外周側に挿入されている。これにより、隙間Ｇに挿入された中性線４７とロータ２１との干渉を避けることができる。
【００９４】
［他の実施例］
上述した実施例では、３組の中性線４７が、上インシュレータ２４の外周壁部４１の内側に引き込まれた状態で中性点５１が形成されたが、このような組立手順に限定されない。中性線４７の引込み工程及び中性点５１の形成工程が異なる他の実施例について説明する。
【００９５】
図１４は、他の実施例において、９本の中性線４７を、３本の中性線４７ごとに引込み用スリット４４Ａ及び引出し用スリット４４Ｂを通して仮止めした状態を示す斜視図である。図１４に示すように、各引込み用スリット４４Ａを通って外周壁部４１の内側へ引き込まれた後、引出し用スリット４４Ｂを通って外周壁部４１の外側へ引き出すことで、中性点が結線される３本の中性線ごとに外周壁部に仮止めされてもよい。３本の中性線４７は、引込み用スリット４４Ａと引出し用スリット４４Ｂをそれぞれ通ることで、外周壁部４１に引っ掛けられて係止されるので、仮止め状態が一時的に保たれる。すなわち、３本の中性線４７は、上インシュレータ２４の内側で互いに捩られて固定されることなく、外周壁部４１の内側を経由して外側に一時的に引き出される。
【００９６】
図１５Ａは、他の実施例において、９本の中性線４７のうちの３本の中性線４７を仮止めした状態を示す平面図である。図１５Ｂは、他の実施例において、残りの６本の中性線４７のうちの３本の中性線４７を仮止めした状態を示す平面図である。図１５Ｃは、他の実施例において、残りの３本の中性線４７を仮止めした状態を示す平面図である。図１５Ｄは、他の実施例において、３組の中性線４７の各々を圧着により接合した状態を示す平面図である。図１５Ｅは、他の実施例において、３組の中性線４７を、上インシュレータ２４の内側へ引き込んだ状態を示す平面図である。
【００９７】
まず、図１２Ａ及び図１５Ａに示すように、９本の中性線４７のうち、図中の２番、３番、４番の各巻回部４５から引き出されたＶ相中性線４７−Ｖ２、Ｗ相中性線４７−Ｗ３及びＵ相中性線４７−Ｕ１を上インシュレータ２４の外周面に沿って引き回して、例えば、７番の巻回部４５の近傍に位置する第１引込み用スリット４４Ａ１を通って、外周壁部４１の外側から内側に引き込まれると共に、引出し用スリット４４Ｂを通って、外周壁部４１の内側から外側に曲げて引き出される。このとき、第１引込み用スリット４４Ａ１を通って外周壁部４１の内側に引き込まれた３本の中性線４７は、上インシュレータ２４の内側で互いに捩られることなく、引出し用スリット４４Ｂを通って、外周壁部４１の内側から外側に曲げて引き出されることで、外周壁部４１に仮止めされる。
【００９８】
続いて、第１引込み用スリット４４Ａ１を通って外周壁部４１の内側のみで互いに固定された３本の中性線４７と同様に、図１５Ａ及び図１５Ｂに示すように、残る６本の中性線４７のうち、図中の５番、６番、７番の各巻回部４５から引き出されたＶ相中性線４７−Ｖ３、Ｗ相中性線４７−Ｗ１及びＵ相中性線４７−Ｕ２を上インシュレータ２４の外周面に沿って引き回されて、７番の巻回部４５の近傍に位置する第１引込み用スリット４４Ａ１を通って、外周壁部４１の外側から内側に引き込まれると共に、第１引込み用スリット４４Ａ１に隣り合う第２引込み用スリット４４Ａ２を通って、外周壁部４１の内側から外側に曲げて引き出される。このとき、第１引込み用スリット４４Ａ１を通って外周壁部４１の内側に引き込まれた３本の中性線４７は、上インシュレータ２４の内側で互いに捩られることなく、第２引込み用スリット４４Ａ２を通って、外周壁部４１の内側から外側に曲げて引き出されることで、外周壁部４１に仮止めされる。なお、このような中性線４７の引き回しに限定されず、３本の中性線４７は、例えば、第２引込み用スリット４４Ａ２を通って、外周壁部４１の外側から内側に引き込まれると共に、引出し用スリット４４Ｂを通って、外周壁部４１の内側から外側に曲げて引き出されてもよい。
【００９９】
続いて、第２引込み用スリット４４Ａ２を通って外周壁部４１の内側のみで互いに固定された３本の中性線４７と同様に、図１５Ｂ及び図１５Ｃに示すように、残る３本の中性線４７のうち、図中の８番、９番、１番の各巻回部４５から引き出されたＶ相中性線４７−Ｖ１、Ｗ相中性線４７−Ｗ２及びＵ相中性線４７−Ｕ３を上インシュレータ２４の外周面に沿って引き回されて、７番の巻回部４５の近傍に位置する第３引込み用スリット４４Ａ３を通って、外周壁部４１の外側から内側へ引き込まれると共に、引出し用スリット４４Ｂを通って、外周壁部４１の内側から外側に曲げて引き出される。このとき、第３引込み用スリット４４Ａ３を通って外周壁部４１の内側に引き込まれた３本の中性線４７は、上インシュレータ２４の内側で互いに捩られることなく、引出し用スリット４４Ｂを通って、外周壁部４１の内側から外側に曲げて引き出されることで、外周壁部４１に仮止めされる。
【０１００】
なお、図示しないが、３組の中性線４７が引出し用スリット４４Ｂを通して引き出される場合、引出し用スリット４４Ｂ内において３組の中性線４７が個別にそれぞれ係止される３つの係止溝（図示せず）が、引出し用スリット４４Ｂ内に形成されてもよい。
【０１０１】
また、図１５Ｃに示すように、第２引込み用スリット、引出し用スリットから外周壁部４１の外側に引き出された３組の中性線４７は、一端を切断することによって、外周壁部４１から延びる長さが揃えられる。続いて、図１５Ｄに示すように、３組の中性線４７ごとに、スプライス端子５２を介して圧着により接合する。上インシュレータ２４の外周壁部４１にそれぞれ仮止めされた３本の中性線４７が一組にまとめられているので、スプライス端子５２を介してＵ相、Ｖ相、Ｗ相の各中性線４７を接合する際に、互いに結線する相を誤って接合することを防ぎ、組み立ての作業性が高められる。スプライス端子５２を介して中性点５１で接続された３組の中性線４７は、図１５Ｅに示すように、第２引込み用スリット４４Ａ２及び引出し用スリット４４Ｂから外周壁部４１の内側へ戻されて、上インシュレータ２４の内側へ入れられる。
【０１０２】
図１６は、他の実施例において、３組の中性線４７の各々を圧着により接合した状態を説明するための側面図である。図１６に示すように、他の実施例では、スプライス端子５２を介して中性点５１で接続された３組の中性線４７の各々は、３本の中性線４７同士が捩られることなく、スプライス端子５２によって互いに固定されている。以降は、上述した実施例の製造工程と同様に、図１３Ｃに示すように、３組の中性線４７を縒り合せることによって、一束にまとめられる。このため、３組の中性線４７は、上インシュレータ２４の外周壁部４１の内側のみで互いに固定されている。続いて、図１３Ｄに示すように、一束にまとめられた３組の中性線４７及びスプライス端子５２が絶縁チューブ５８によって覆われることにより、各引込み用スリット４４Ａから中性点５１までの間にわたって絶縁される。絶縁チューブ５８で覆われた３組の中性線４７の中性点５１側は、図２に示すように、隣り合う巻回部４５の間の隙間Ｇに挿入されて保持される。
【０１０３】
［他の実施例の効果］
上述した他の実施例の３相モータ６における上インシュレータ２４には、内側で互いに固定された３本の中性線４７を、上インシュレータ２４の内側から外側へ曲げて引き出すための引出し用スリット４４Ｂが、内側から外側に貫通して設けられている。これにより、３本の中性線ごとに、インシュレータの外周壁部に引っ掛けて仮止めすることが可能になる。したがって、上述した実施例と同様に、９本の中性線４７を容易に取り扱い、所定の組み合せで結線される３本の中性線４７の組み合せの間違いを防ぐことが可能になる。このため、３相モータ６の組み立ての作業性を高め、組立作業の効率を高めることができる。
【０１０４】
また、他の実施例においても、３組の中性線４７が上インシュレータ２４の外周壁部４１の内側のみで縒り合わされて互いに固定されることにより、外周壁部４１の外側に、３本の中性線４７を互いに固定するために捩られた部分が生じないので、外周壁部４１の外周面に沿って引き回された中性線４７と、容器２との間の距離が適正に確保されて、中性線４７の絶縁距離を容易に確保できる。また、３本の中性線４７は、上インシュレータ２４の外側で互いに捩られずに各引込み用スリット４４Ａを通されることで、中性線４７の移動が規制されていない状態で上インシュレータ２４の外側から内側へスムーズに引き込むことが可能になるので、中性線４７の取り扱いを容易に行うことができる。
【０１０５】
また、３相モータ６における上インシュレータ２４の引出し用スリット４４Ｂは、上インシュレータ２４の外周壁部４１の周方向において引込み用スリット４４Ａに近接して配置されている。これにより、３本の中性線４７を、引込み用スリット４４Ａと引出し用スリット４４Ｂとに跨って引き回すことが容易になり、中性線４７の仮止めを容易に行うことができる。
【０１０６】
なお、本実施例では、３相モータがロータリ圧縮機に適用されたが、ロータリ圧縮機に限定されず、スクロール圧縮機に適用されてもよい。また、巻き線４６の巻回手順は本実施例に限定されず、例えば、１本ずつの巻き線がティース毎に巻回されるように行ってもよい。
【符号の説明】
【０１０７】
１  圧縮機
３  シャフト（回転軸）
５  圧縮部
６  ３相モータ
２１  ロータ
２２  ステータ
２４  上インシュレータ（インシュレータ）
３２−１  第１ステータコアティース部（ティース）
３２−２  第２ステータコアティース部（ティース）
３２−３  第３ステータコアティース部（ティース）
３２−４  第４ステータコアティース部（ティース）
３２−５  第５ステータコアティース部（ティース）
４１  外周壁部
４４  スリット（切り欠き）
４４Ａ１  第１引込み用スリット（引込み用切り欠き）
４４Ａ２  第２引込み用スリット（引込み用切り欠き）
４４Ａ３  第３引込み用スリット（引込み用切り欠き）
４４Ｂ  引出し用スリット（引出し用切り欠き）
４５  巻回部
４６（４６−Ｕ１〜４６−Ｕ３）  複数のＵ相巻き線
４６（４６−Ｖ１〜４６−Ｖ３）  複数のＶ相巻き線
４６（４６−Ｗ１〜４６−Ｗ３）  複数のＷ相巻き線
４７（４７−Ｕ１〜４７−Ｕ３）  複数のＵ相中性線
４７（４７−Ｖ１〜４７−Ｖ３）  複数のＶ相中性線
４７（４７−Ｗ１〜４７−Ｗ３）  複数のＷ相中性線
４８−Ｕ１〜４８−Ｕ３  複数のＵ相電源線
４８−Ｖ１〜４８−Ｖ３  複数のＶ相電源線
４８−Ｗ１〜４８−Ｗ３  複数のＷ相電源線
４９−Ｕ１  第１Ｕ相渡り線部分
４９−Ｕ２  第２Ｕ相渡り線部分
４９−Ｖ１  第１Ｖ相渡り線部分
４９−Ｖ２  第２Ｖ相渡り線部分
４９−Ｗ１  第１Ｗ相渡り線部分
４９−Ｗ２  第２Ｗ相渡り線部分
５１（５１−１〜５１−３）  中性点
５２（５２−１）  第１スプライス端子（接続部材）
５２（５２−２）  第２スプライス端子（接続部材）
５２（５２−３）  第３スプライス端子（接続部材）
５８  絶縁チューブ（絶縁部材）
Ｇ  隙間
【図１】
2020141495.tif 000003
【図２】
2020141495.tif 000004
【図３】
2020141495.tif 000005
【図４】
2020141495.tif 000006
【図５】
2020141495.tif 000007
【図６】
2020141495.tif 000008
【図７】
2020141495.tif 000009
【図８】
2020141495.tif 000010
【図９】
2020141495.tif 000011
【図１０】
2020141495.tif 000012
【図１１】
2020141495.tif 000013
【図１２Ａ】
2020141495.tif 000014
【図１２Ｂ】
2020141495.tif 000015
【図１２Ｃ】
2020141495.tif 000016
【図１２Ｄ】
2020141495.tif 000017
【図１３Ａ】
2020141495.tif 000018
【図１３Ｂ】
2020141495.tif 000019
【図１３Ｃ】
2020141495.tif 000020
【図１３Ｄ】
2020141495.tif 000021
【図１４】
2020141495.tif 000022
【図１５Ａ】
2020141495.tif 000023
【図１５Ｂ】
2020141495.tif 000024
【図１５Ｃ】
2020141495.tif 000025
【図１５Ｄ】
2020141495.tif 000026
【図１５Ｅ】
2020141495.tif 000027
【図１６】
2020141495.tif 000028